(57)【要約】【課題】初期同期の確立までの時間を短縮する技術を提供する。【解決手段】変調された信号内の第１参照シンボルにより示されＮ個のサブキャリアに夫々対応する、Ｎ個の第１参照複素数値を記憶する記憶部と、受信された信号内の第１受信シンボルにより示されＮ個のサブキャリアに夫々対応する、Ｎ個の第１受信複素数値を復調する復調部と、Ｎ個の第１参照複素数値に対するＮ個の第１受信複素数値の誤差であるＮ個の第１誤差を、Ｎ個のサブキャリアに夫々対応して算出する誤差算出部と、第１しきい値とＮ個の第１誤差の夫々とを比較する第１比較を行い、第１しきい値より大きい第２しきい値とＮ個の第１誤差の夫々とを比較する第２比較を行う比較部と、第１比較の結果と第２比較の結果とに基づいて、第１受信シンボルを第１参照シンボルと認識するか否かの判定を行う判定部とを備える通信装置である。【選択図】図３
2011239188.tif 000002
【特許請求の範囲】
【請求項１】
マルチキャリア変調を用いてＮ（Ｎは２以上の整数）個のサブキャリアが変調された信号を、伝搬路を介して受信する通信装置であって、
前記変調された信号内の第１参照シンボルにより示されるＮ個の複素数値であって前記Ｎ個のサブキャリアに夫々対応する、Ｎ個の第１参照複素数値を記憶する記憶部と、
前記受信された信号内の第１受信シンボルにより示されるＮ個の複素数値であって前記Ｎ個のサブキャリアに夫々対応する、Ｎ個の第１受信複素数値を復調する復調部と、
前記Ｎ個の第１参照複素数値に対する前記Ｎ個の第１受信複素数値の誤差であるＮ個の第１誤差を、前記Ｎ個のサブキャリアに夫々対応して算出する誤差算出部と、
第１誤差のしきい値である第１しきい値と前記Ｎ個の第１誤差の夫々とを比較する第１比較を行い、前記第１しきい値より大きい第２しきい値と前記Ｎ個の第１誤差の夫々とを比較する第２比較を行う比較部と、
前記第１比較の結果と前記第２比較の結果とに基づいて、前記第１受信シンボルを前記第１参照シンボルと認識するか否かの判定を行う判定部と
を備える通信装置。
【請求項２】
前記記憶部は、前記変調された信号内の第２参照シンボルにより示されるＮ個の複素数値であって前記Ｎ個のサブキャリアに夫々対応する、Ｎ個の第２参照複素数値を記憶し、
前記復調部は、前記受信された信号内の第２受信シンボルにより示されるＮ個の複素数値であって前記Ｎ個のサブキャリアに夫々対応する、Ｎ個の第２受信複素数値を復調し、
前記誤差算出部は、前記Ｎ個の第２参照複素数値に対する前記Ｎ個の第２受信複素数値の誤差であるＮ個の第２誤差を、前記Ｎ個のサブキャリアに夫々対応して算出し、
前記比較部は、第２誤差のしきい値である第３しきい値と前記Ｎ個の第２誤差の夫々とを比較する第３比較を行い、
前記判定部は、前記第３比較の結果に基づき前記第２受信シンボルを前記第２参照シンボルと認識するか否かの判定を行う、
請求項１に記載の通信装置。
【請求項３】
前記比較部は、前記第１比較に基づき前記Ｎ個の第１誤差の中で前記第１しきい値より小さい第１誤差の数である第１適合数を算出し、前記第２比較に基づき前記Ｎ個の第１誤差の中で前記第２しきい値より小さい第１誤差の数である第２適合数を算出し、前記第３比較に基づき前記Ｎ個の第２誤差の中で前記第３しきい値より小さい第２誤差の数である第３適合数を算出し、
前記判定部は、前記第１適合数と前記第２適合数と前記第３適合数とに基づいて、前記第１受信シンボルを前記第１参照シンボルと認識するか否かの判定と、前記第２受信シンボルを前記第２参照シンボルと認識するか否かの判定とを行う、
請求項２に記載の通信装置。
【請求項４】
前記判定部は、前記第１適合数のしきい値である第１適合数しきい値と前記第２適合数のしきい値である第２適合数しきい値と前記第３適合数のしきい値である第３適合数しきい値とを用いて、前記第１適合数が前記第１適合数しきい値以上であり且つ前記第３適合数が前記第３適合数しきい値以上である場合と、前記第２適合数が前記第２適合数しきい値以上であり且つ前記第３適合数が前記第３適合数しきい値以上である場合とに、前記第１受信シンボルを前記第１参照シンボルと認識すると共に前記第２受信シンボルを前記第２参照シンボルと認識する、
請求項３に記載の通信装置。
【請求項５】
前記比較部は、前記第３誤差しきい値より大きい第４誤差しきい値と前記Ｎ個の第２誤差の夫々とを比較する第４比較を行い、前記４比較に基づき前記Ｎ個の第２誤差の中で前記第４しきい値より小さい第２誤差の数である第４適合数を算出し、
前記判定部は、前記第４適合数のしきい値である第４適合数しきい値を用いて、前記第１適合数が前記第１適合数しきい値以上であり且つ前記第４適合数が前記第４適合数しきい値以上である場合と、前記第２適合数が前記第２適合数しきい値以上であり且つ前記第４適合数が前記第４適合数しきい値以上である場合とに、前記第１受信シンボルを前記第１参照シンボルと認識すると共に前記第２受信シンボルを前記第２参照シンボルと認識する、
請求項４に記載の通信装置。
【請求項６】
マルチキャリア変調を用いてＮ（Ｎは２以上の整数）個のサブキャリアが変調された信号を、伝搬路を介して通信装置により受信する通信方法であって、
前記変調された信号内の第１参照シンボルにより示されるＮ個の複素数値であって前記Ｎ個のサブキャリアに夫々対応する、Ｎ個の第１参照複素数値を記憶し、
前記受信された信号内の第１受信シンボルにより示されるＮ個の複素数値であって前記Ｎ個のサブキャリアに夫々対応する、Ｎ個の第１受信複素数値を復調し、
前記Ｎ個の第１参照複素数値に対する前記Ｎ個の第１受信複素数値の誤差であるＮ個の第１誤差を、前記Ｎ個のサブキャリアに夫々対応して算出し、
第１誤差のしきい値である第１しきい値と前記Ｎ個の第１誤差の夫々とを比較する第１比較を行い、
前記第１しきい値より大きい第２しきい値と前記Ｎ個の第１誤差の夫々とを比較する第２比較を行い、
前記第１比較の結果と前記第２比較の結果とに基づいて、前記第１受信シンボルを前記第１参照シンボルと認識するか否かの判定を行う
ことを備える通信方法。
【発明の詳細な説明】
【技術分野】
【０００１】
本発明は、マルチキャリア変調方式の同期を行う技術に関する。
【背景技術】
【０００２】
ディジタル信号処理デバイスの性能の向上により、移動体通信システムの変復調にディジタル信号処理が用いられるようになった。ディジタル信号処理を利用する変調方式の一つとしてマルチキャリア変調方式が知られている。マルチキャリア変調方式には、ＯＦＤＭ（orthogonal frequency-division multiplexing）やＭＣ−ＣＤＭＡ（multi-carrier code division multiple access）が含まれる。ＯＦＤＭを用いた移動体通信システムには、ＬＴＥ（long term evolution）やＷｉＭＡＸ（worldwide interoperability for microwave access）が含まれる。このような移動体通信システムにおいて通信装置の受信部は、移動体通信システムの基地局と移動局の間の通信の初期同期の確立を行う。
【０００３】
ＯＦＤＭの初期同期シーケンスの例について説明する。ここで送信信号には、規定のタイミングで周期的に同期シンボルが配置される。同期シンボルには、スロットの同期である一次同期のための一次同期シンボルと無線フレームの同期である二次同期のための二次同期シンボルがある。受信部は、所定のサンプリング周波数で量子化されたベースバンドＯＦＤＭ信号をＦＦＴ（fast Fourier transform）処理することにより、検波処理を行う。受信部は複素平面上に展開される検波処理出力を監視し、一次同期シンボルを検出することによりスロットタイミングを検出し、二次同期シンボルを検出することによりフレームタイミングを検出する。
【０００４】
ＯＦＤＭは、ＣＤＭＡ（code division multiple access）等と比較してシンボルレートが低い。そのため、ＯＦＤＭは一般的にマルチパスの影響を受けにくいことや、周波数選択性フェージングによるＯＦＤＭのスペクトラムへのダメージは小さいことが知られている。例えばマルチパスの分散が１０ｕｓ〜２０ｕｓである場合、周波数選択性フェージングの帯域幅は約１０ｋＨｚになる。これにより、周波数選択性フェージングは一部のサブキャリアだけの受信電力を抑圧する。しかし、この周波数選択性フェージングは前述の初期同期に影響を与える。
【０００５】
周波数選択性フェージングによる初期同期への影響を低減するために、受信部は例えば、サブキャリア毎の電力の正規化処理を行う。次に受信部は例えば、受信され正規化された複数の同期シンボルの候補と、予め保持された同期シンボルのレプリカとの相関演算を行うことにより、候補とレプリカの相関電力を算出する。次に受信部は例えば、或る候補から得られた相関電力が相関電力しきい値以上である場合、初期同期が確立したと判定し、その候補を同期シンボルと認識し、同期シンボルのタイミングを認識する。
【０００６】
関連する技術として、同期信号の検出状態に基づいて同期信号のしきい値を制御する技術や、受信された同期信号と予め設定された同期信号との不一致ビット数を２つのしきい値により判定する技術が知られている（例えば特許文献１及び特許文献２参照）。
【先行技術文献】
【特許文献】
【０００７】
【特許文献１】特開２００１−１１９３６８号公報
【特許文献２】特開平８−８８６９号公報
【発明の概要】
【発明が解決しようとする課題】
【０００８】
しかしながら、前述の正規化処理が行われても相関電力は変動するため、最適な相関電力しきい値を決定することは困難である。一般に、同期失敗の発生確率と誤同期の発生確率はトレードオフの関係になる。相関電力しきい値が大きい場合、即ち初期同期の条件が厳しい場合、例えば移動体通信システムのセルエッジでの不安定な受信状況や深刻なフェージング影響下において初期同期が確立されない状態が発生する。一方、相関電力しきい値が小さい場合、即ち初期同期の条件が緩い場合、誤った初期同期が容易に確立されることからその後に受信した情報を復号して誤同期が判明するまで受信処理の遅延が発生する。このように、受信部の初期同期確立までに要する時間は相関電力しきい値の影響を受ける。
【０００９】
本発明は上述した問題点を解決するためになされたものであり、初期同期の確立までの時間を短縮する技術を提供することを目的とする。
【課題を解決するための手段】
【００１０】
上述した課題を解決するため、本発明の一態様は、マルチキャリア変調を用いてＮ（Ｎは２以上の整数）個のサブキャリアが変調された信号を、伝搬路を介して受信する通信装置であって、前記変調された信号内の第１参照シンボルにより示されるＮ個の複素数値であって前記Ｎ個のサブキャリアに夫々対応する、Ｎ個の第１参照複素数値を記憶する記憶部と、前記受信された信号内の第１受信シンボルにより示されるＮ個の複素数値であって前記Ｎ個のサブキャリアに夫々対応する、Ｎ個の第１受信複素数値を復調する復調部と、前記Ｎ個の第１参照複素数値に対する前記Ｎ個の第１受信複素数値の誤差であるＮ個の第１誤差を、前記Ｎ個のサブキャリアに夫々対応して算出する誤差算出部と、第１誤差のしきい値である第１しきい値と前記Ｎ個の第１誤差の夫々とを比較する第１比較を行い、前記第１しきい値より大きい第２しきい値と前記Ｎ個の第１誤差の夫々とを比較する第２比較を行う比較部と、前記第１比較の結果と前記第２比較の結果とに基づいて、前記第１受信シンボルを前記第１参照シンボルと認識するか否かの判定を行う判定部とを備える通信装置である。
【００１１】
また、本発明の別の一態様は、マルチキャリア変調を用いてＮ（Ｎは２以上の整数）個のサブキャリアが変調された信号を、伝搬路を介して通信装置により受信する通信方法であって、前記変調された信号内の第１参照シンボルにより示されるＮ個の複素数値であって前記Ｎ個のサブキャリアに夫々対応する、Ｎ個の第１参照複素数値を記憶し、前記受信された信号内の第１受信シンボルにより示されるＮ個の複素数値であって前記Ｎ個のサブキャリアに夫々対応する、Ｎ個の第１受信複素数値を復調し、前記Ｎ個の第１参照複素数値に対する前記Ｎ個の第１受信複素数値の誤差であるＮ個の第１誤差を、前記Ｎ個のサブキャリアに夫々対応して算出し、第１誤差のしきい値である第１しきい値と前記Ｎ個の第１誤差の夫々とを比較する第１比較を行い、前記第１しきい値より大きい第２しきい値と前記Ｎ個の第１誤差の夫々とを比較する第２比較を行い、前記第１比較の結果と前記第２比較の結果とに基づいて、前記第１受信シンボルを前記第１参照シンボルと認識するか否かの判定を行うことを備える通信方法である。
【発明の効果】
【００１２】
この出願に開示された技術によれば、初期同期の確立までの時間を短縮することができる。
【図面の簡単な説明】
【００１３】
【図１】通信装置の構成を示すブロック図である。
【図２】送信信号における同期シンボルの配置を示す配置図である。
【図３】同期処理部の構成を示すブロック図である。
【図４】第１受信処理を示すフローチャートである。
【図５】第２受信処理を示すフローチャートである。
【図６】一次同期処理を示すフローチャートである。
【図７】適用参照シンボルに対する受信シンボルの誤差を示す模式図である。
【図８】一次同期確認処理を示すフローチャートである。
【図９】二次同期処理を示すフローチャートである。
【発明を実施するための形態】
【００１４】
以下、本発明の実施の形態について図面を参照しつつ説明する。
【００１５】
本実施形態では、ＬＴＥを用いた移動体通信システムの移動局である通信装置の例について説明する。この通信装置は基地局との無線通信を行う。
【００１６】
まず通信装置の構成について説明する。
【００１７】
図１は、通信装置１の構成を示すブロック図である。この通信装置１は、通信装置の適用例である。通信装置１は、アナログ信号処理部２と、ディジタル信号処理部３と、データ入力部４と、データ出力部５と、アンテナ６とを有する。ディジタル信号処理部３は送信部１１と受信部１２とを有する。
【００１８】
送信時、送信部１１は、データ入力部４出力である送信データを複数の複素信号にマッピングしてシンボルを生成し、シンボル毎のＩＦＦＴ（inverse fast Fourier transform）処理により変調する。アナログ信号処理部２は、送信部１１出力であるディジタル信号をアナログ信号へ変換し、ＲＦ帯へ変換し、増幅し、アンテナ６により送信する。
【００１９】
受信時、アナログ信号処理部２は、アンテナ６により受信されたＲＦ帯の信号を増幅し、ＩＦ帯へ変換し、アナログ信号をディジタル信号へ変換する。受信部１２は、アンテナ６により受信された信号を周波数変換やＦＦＴ処理等により復調して受信データを生成する。
【００２０】
データ入力部４は、外部からの入力に基づいて送信データを生成し、送信データを送信部１１へ入力する。例えば通信装置１が携帯電話機などの音声端末装置である場合、マイクにより音声を検出し、その音声を符号化して送信データを生成する。データ出力部５は、受信部１２出力である受信データを取得し、受信データに基づいて外部への出力を行う。例えば通信装置１が携帯電話機などの音声端末装置である場合、受信データを復号化して音声を生成し、その音声をスピーカにより出力する。
【００２１】
次に受信部１２の構成について説明する。
【００２２】
前述の受信部１２は、直交検波部２１と、搬送波生成部２２と、ＣＰ検出部２３と、Ｓ／Ｐ（serial to parallel）変換部２４と、ＦＦＴ処理部２５と、同期処理部２６と、復号部２７とを有する。
【００２３】
直交検波部２１は、搬送波生成部２２により生成されたＩＦ搬送波を用いて、アナログ信号処理部２から出力されるディジタル信号の直交検波を行い、Ｉ成分及びＱ成分を有する複素ベースバンド信号へ変換する。ＣＰ検出部２３は、複素ベースバンド信号からＣＰ（cyclic prefix）を検出することによりシンボルタイミングとＩＦ搬送波の誤差とを検出し、搬送波生成部２２の周波数を設定する。搬送波生成部２２は、ＣＰ検出部２３による設定に従ってＩＦ搬送波を生成する。Ｓ／Ｐ変換部２４は、ＣＰ検出部２３により検出されたシンボルタイミング毎に、複素ベースバンド信号のＳ／Ｐ変換を行って１シンボル分の複素ベースバンド信号である受信シンボルを出力する。ＦＦＴ処理部２５は、１シンボル分の複素ベースバンド信号のＦＦＴ処理を行う。同期処理部２６は、ＦＦＴ処理部２５出力の補正を行い、補正された信号に基づいて初期同期確立を行う。復号部２７は、同期処理部２６により補正された信号から受信データを復号する。
【００２４】
次に送信信号における同期シンボルの配置について説明する。
【００２５】
ここでは、ＬＴＥの送信信号の例について説明する。図２は、送信信号における同期シンボルの配置を示す配置図である。
【００２６】
この配置図の上部は無線フレームを示す。この配置図の上部において横軸は時間を示し、縦軸は周波数を示す。１個の無線フレームは、１０個のサブフレームにより形成される。各サブフレームに付された数字１〜１０はサブフレーム番号を示す。
【００２７】
この配置図の下部は第１サブフレームと第６サブフレームを示す。この配置図の下部において横軸は時間を示し、縦軸は周波数を示す。１個のサブフレームは、２個のスロットにより形成される。各サブフレーム内の各スロットに付された数字１〜２はスロット番号を示す。１個のスロットは、７個のシンボルにより形成される。各スロット内の各シンボルに付された数字１〜７はシンボル番号を示す。
【００２８】
無線フレームの時間長は１０ｍｓであり、サブフレームの時間長は１ｍｓであり、スロットの時間長は０．５ｍｓである。
【００２９】
ここで、送信信号に含まれる総サブキャリア数は、例えば１０２４等の２のべき乗数の整数である。中心周波数に位置するサブキャリアはＮＵＬＬサブキャリアと呼ばれている。同期シンボルを表すためにＮＵＬＬサブキャリアを除いた中央部のサブキャリアを同期用サブキャリアとする。同期用サブキャリア数は７２である。同期シンボルには、一次同期のためのシンボルである一次同期シンボル（第１参照シンボル）１１１と二次同期のためのシンボルである二次同期シンボル（第２参照シンボル）１１２ａ，１１２ｂとがある。同期シンボルは、同期用サブキャリアに配置される。そのため、この配置図における無線フレームは、同期用サブキャリアだけを示す。
【００３０】
ここでＮは２以上の整数であり、例えば同期用サブキャリア数である。第１参照シンボルは例えば一次同期シンボルであり、第２参照シンボルは例えば二次同期シンボルである。
【００３１】
一次同期シンボル１１１は、第１サブフレーム内の第１スロット内の第７シンボルと、第６サブフレーム内の第１スロット内の第７シンボルとに配置される。二次同期シンボル１１２ａは、第１サブフレーム内の第１スロット内の第６シンボルに配置される。二次同期シンボル１１２ｂは、第６サブフレーム内の第１スロット内の第６シンボルに配置される。なお、二次同期シンボル１１２ａと二次同期シンボル１１２ｂはフレーム同期を目的とするため、互いに異なるシンボルである。
【００３２】
一次同期シンボル１１１及び二次同期シンボル１１２ａ，１１２ｂにより表されるデータパターンは、セル番号を示す。これらのデータパターンは、同期用サブキャリア数分の複素データにより形成される。一次同期シンボル１１１は例えば、３種類のデータパターンのいずれか一つを表す。二次同期シンボル１１２ａ，１１２ｂは例えば、１２８種類のデータパターンのいずれか一つを表す。
【００３３】
この送信信号によれば、通信装置１は伝搬路を介して、この送信信号を受信し、一次同期シンボル１１１の受信タイミングを検出することにより一次同期を行うことができ、二次同期シンボル１１２ａ，１１２ｂの受信タイミングを検出することにより二次同期を行うことができる。更に通信装置１は、一次同期シンボル１１１及び二次同期シンボル１１２ａ，１１２ｂのデータパターンを認識することにより、在圏セルのセル番号を認識することができる。
【００３４】
次に同期処理部２６の構成について説明する。
【００３５】
図３は、同期処理部２６の構成を示すブロック図である。同期処理部２６は、受信シンボルバッファ３１と、補正処理部３４と、同期判定部３５と、格納部３７とを有する。格納部３７は、参照シンボル格納部３２と、しきい値格納部３３と、状態格納部３６とを有する。
【００３６】
受信シンボルバッファ３１は、ＦＦＴ処理部２５出力である受信シンボルを格納する。受信シンボルは、総サブキャリア数の複素数値を示す。受信シンボルに示される複素数値のうち同期中に用いられる複素数値は、中央部の同期用サブキャリア数分の複素数値である。参照シンボル格納部３２は、参照用の同期シンボルである参照シンボルを格納する。しきい値格納部３３は、受信シンボルと参照シンボルとの誤差を判定するための複数の誤差しきい値と、条件を満たす誤差の数を判定するための適合数しきい値とを格納する。状態格納部３６は、受信シンボルが一次同期又は二次同期を通過した状態を示す通過情報を格納する。
【００３７】
ここで、中央部の同期用サブキャリア数分の複素数値は例えば、第１受信複素数値、第２受信複素数値、第３受信複素数値である。
【００３８】
参照シンボルには、一次同期用の参照シンボルと、二次同期用の参照シンボルとが含まれる。一次同期用の参照シンボルは、送信される一次同期シンボルのレプリカであり、二次同期用の参照シンボルは、送信される二次同期シンボルのレプリカである。誤差しきい値には、一次同期用の誤差しきい値と二次同期用の誤差しきい値とが含まれる。一次同期用の誤差しきい値には、第１誤差しきい値と、第１誤差しきい値より大きい第２誤差しきい値とが含まれる。二次同期用の誤差しきい値には、第３誤差しきい値と、第３誤差しきい値より大きい第４誤差しきい値とが含まれる。通過情報には、一次同期を通過したことを示す一次通過フラグ、二次同期を通過したことを示す二次通過フラグ、一次同期を通過したときに認識された一次同期シンボルである一次通過シンボル、二次同期を通過したときに認識された二次同期シンボルである二次通過シンボル、一次同期を通過したときの誤差しきい値である一次通過しきい値、二次同期を通過したときの誤差しきい値である二次通過しきい値、などが含まれる。
【００３９】
ここで、第１しきい値は例えば第１誤差しきい値であり、第２しきい値は例えば第２誤差しきい値であり、第３しきい値は例えば第３誤差しきい値であり、第４しきい値は例えば第４誤差しきい値である。
【００４０】
なお、参照シンボル格納部３２及びしきい値格納部３３は例えば、不揮発性メモリで実現される。一方、受信シンボルバッファ３１及び状態格納部３６は例えば、揮発性メモリで実現される。
【００４１】
同期判定部３５は、誤差算出部４１と比較部４２と判定部４３とを有する。誤差算出部４１は、受信シンボルと参照シンボルとの誤差を算出する。比較部４２は、算出された誤差と誤差しきい値を比較し、算出された誤差のうち誤差しきい値以下となる誤差の数である適合数を算出する。判定部４３は、受信シンボルバッファ３１と参照シンボル格納部３２としきい値格納部３３と状態格納部３６とに格納された情報を用いて、受信シンボルから一次同期シンボルを検出することによりスロットタイミングを検出し、受信シンボルから二次同期シンボルを検出することによりフレームタイミングを検出して補正処理部３４及び復号部２７へ出力する。
【００４２】
補正処理部３４は同期判定部３５により検出された同期シンボルの情報に基づいて受信シンボル補正処理を行う。この受信シンボル補正処理において補正処理部３４は、受信シンボルを受信シンボルバッファ３１から読み出し、マルチパス及び周波数選択性フェージングによる受信シンボルの位相回転と電力変動を補正することにより補正シンボルを算出して出力する。
【００４３】
復号部２７は、同期判定部３５により検出されたスロットタイミング及びフレームタイミングに従って、補正シンボルの復号を行う。
【００４４】
次に受信部１２による受信処理について説明する。受信部１２は、次に示す受信処理を繰り返す。
【００４５】
受信処理において、受信部１２はまず次に示す第１受信処理を行う。
【００４６】
図４は、第１受信処理を示すフローチャートである。まず、判定部４３は、新しいシンボルを受信したか否か、即ち新しい受信シンボルが受信シンボルバッファ３１に格納されたか否かを判定する（Ｓ３１）。新しいシンボルを受信していないと判定された場合（Ｓ３１，Ｎ）、判定部４３は、新しいシンボルを受信したと判定されるまでＳ３１を繰り返す。新しいシンボルを受信したと判定された場合（Ｓ３１，Ｙ）、判定部４３は一次通過フラグがＯＮであるか否かを判定する（Ｓ３３）。
【００４７】
一次通過フラグがＯＮでない、即ち一次通過フラグがＯＦＦであると判定された場合（Ｓ３３，Ｎ）、判定部４３は第１誤差しきい値及び第２誤差しきい値を用いて一次同期シンボルを検出する一次同期処理を行い（Ｓ３４）、このフローをＳ３１へ移行させる。一次通過フラグがＯＮであると判定された場合（Ｓ３３，Ｙ）、判定部４３は一次通過フラグをクリア（ＯＦＦに変更）し（Ｓ３５）、一次通過しきい値が第１誤差しきい値であるか否かを判定する（Ｓ４１）。
【００４８】
一次通過しきい値が第１誤差しきい値であると判定された場合（Ｓ４１，Ｙ）、判定部４３は、このフローをＳ４５へ移行させる。一次通過しきい値が第１誤差しきい値でないと判定された場合、即ち一次通過しきい値が第２誤差しきい値である場合（Ｓ４１，Ｎ）、判定部４３は第１誤差しきい値のみを用いて一次同期シンボルを検出する一次同期確認処理を行い（Ｓ４２）、一次通過フラグがＯＮであるか否かを判定する（Ｓ４３）。
【００４９】
一次通過フラグがＯＮであると判定された場合（Ｓ４３，Ｙ）、判定部４３はこのフローをＳ３１へ移行させる。一次通過フラグがＯＮでない、即ち一次通過フラグがＯＦＦであると判定された場合（Ｓ４３，Ｎ）、判定部４３は、このフローをＳ４５へ移行させる。
【００５０】
Ｓ４３において一次通過フラグがＯＦＦであると判定された場合（Ｓ４３，Ｎ）、又はＳ４１において一次通過しきい値が第１誤差しきい値であると判定された場合（Ｓ４１，Ｙ）、判定部４３は二次同期シンボルを検出する二次同期処理を行い（Ｓ４５）、二次通過フラグがＯＮであるか否かを判定する（Ｓ４６）。
【００５１】
二次通過フラグがＯＮでない、即ち二次通過フラグがＯＦＦであると判定された場合（Ｓ４６，Ｎ）、判定部４３は、このフローをＳ３１へ移行させる。二次通過フラグがＯＮであると判定された場合（Ｓ４６，Ｙ）、判定部４３は、このフローを終了させる。この第１受信処理が終了すると、受信部１２は第２受信処理を実行する。
【００５２】
受信部１２は、この第１受信処理の後、次に示す第２受信処理を行う。
【００５３】
図５は、第２受信処理を示すフローチャートである。まず判定部４３は、二次通過しきい値が第３誤差しきい値であるか否かを判定する（Ｓ５１）
【００５４】
二次通過しきい値が第３誤差しきい値であると判定された場合（Ｓ５１，Ｙ）、判定部４３は、このフローをＳ５５へ移行させる。二次通過しきい値が第３誤差しきい値でない、即ち二次通過しきい値が第４誤差しきい値であると判定された場合（Ｓ５１，Ｎ）、判定部４３は第１誤差しきい値のみを用いて一次同期シンボルを検出する一次同期確認処理を行い（Ｓ５２）、一次通過フラグがＯＮであるか否かを判定する（Ｓ５３）。
【００５５】
一次通過フラグがＯＮであると判定された場合（Ｓ５３，Ｙ）、判定部４３はこのフローをＳ５７へ移行させる。一次通過フラグがＯＮでない、即ち一次通過フラグがＯＦＦであると判定された場合（Ｓ５３，Ｎ）、判定部４３は、このフローをＳ５５へ移行させる。
【００５６】
Ｓ５３において一次通過フラグがＯＦＦであると判定された場合（Ｓ５３，Ｎ）、又はＳ５１において二次通過しきい値が第３誤差しきい値であると判定された場合（Ｓ５１，Ｙ）、判定部４３は状態格納部３６から通過情報を読み出し、通過情報に含まれた一次通過シンボルのデータパターンと通過情報に含まれた二次通過シンボルのデータパターンとからセル番号を認識し（Ｓ５５）、復号部２７は、報知チャネル（ＰＢＣＨ：Physical Broadcast Channel）により送信された報知情報を復号する（Ｓ５６）。
【００５７】
Ｓ５６の後、又はＳ５３において一次通過フラグがＯＮであると判定された場合（Ｓ５３，Ｙ）、判定部４３は二次通過フラグをクリア（ＯＦＦに変更）し（Ｓ５７）、このフローを終了させる。
【００５８】
以上で受信処理は終了する。状態格納部３６に保存された通過情報は、受信処理が終了するまで保持される。従って、或る受信シンボルが高い誤差しきい値を用いて一次同期を通過した場合にその通過情報を保持することにより、低い誤差しきい値を用いて新たな受信シンボルの一次同期の通過を判定することができる。つまり、同期判定部３５は初期同期の確立前に、より確からしい一次同期シンボルを検出する可能性がある。これにより、誤って検出した一次同期シンボルで初期同期が確立されて報知情報の復号により誤同期が判明するケースを低減することができる。
【００５９】
次に前述のＳ３４に示された一次同期処理について説明する。
【００６０】
図６は、一次同期処理を示すフローチャートである。まず判定部４３は、受信シンボルを受信シンボルバッファ３１から読み出す（Ｓ１１２）。この場合において、受信シンボルは第１受信シンボルに含まれる。誤差算出部４１は、一次同期用の誤差しきい値の一つを選択してしきい値格納部３３から読み出し、読み出された誤差しきい値を適用誤差しきい値へ割り当て（Ｓ１１３）、一次同期用の参照シンボルの一つを選択して参照シンボル格納部３２から読み出し、読み出された参照シンボルを適用参照シンボルへ割り当てる（Ｓ１１４）。ここで、最初に割り当てられる適用誤差しきい値は、一次同期用の第１誤差しきい値及び第２誤差しきい値のうち低い方の第１誤差しきい値である。
【００６１】
次に誤差算出部４１及び比較部４２は受信シンボルの評価を示す適合数を算出する評価処理を行う（Ｓ１２１）。
【００６２】
この評価処理において、まず誤差算出部４１は適用参照シンボルに対する受信シンボルの誤差を算出する。複数の誤差の夫々は、受信シンボル内の複素数値の夫々から適用参照シンボル内の複素数値の夫々を引いた差の絶対値である。次に比較部４２は複数の誤差のうち、適用誤差しきい値以下となる誤差の数である適合数を算出する。
【００６３】
図７は、適用参照シンボルに対する受信シンボルの誤差を示すコンスタレーションである。このコンスタレーションにおいて、横軸はシンボル内の或るサブキャリアに対応する複素数値のＩ成分を示し、縦軸は当該サブキャリアに対応する複素数値のＱ成分を示す。ベクトルＡは当該サブキャリアの複素数値の真値、即ち適用参照シンボル内の当該サブキャリアの複素数値を示す。ベクトルＢは受信シンボル内の当該サブキャリアの複素数値を示す。ここで、当該サブキャリアにおいて、適用参照シンボル内の複素数値に対する受信シンボル内の複素数値の誤差は、（Ｂ−Ａ）であるベクトルＣの絶対値である。評価処理において判定部４３は、この誤差を全ての同期用サブキャリアに対して算出する。更にこのコンスタレーションにおいて、誤差が第１誤差しきい値以下になる複素数値の範囲は、中心を複素数値の真値とし半径を第１誤差しきい値とする円の内部である。同様に誤差が第２誤差しきい値以下になる複素数値の範囲は、中心を複素数値の真値とし半径を第２誤差しきい値とする円の内部である。Ｂのように、第１誤差しきい値による適合数が適合数しきい値未満となっても、第２誤差しきい値による適合数が適合数しきい値以上になる場合がある。
【００６４】
次に判定部４３は、適合数が適合数しきい値以上であるか否かを判定する（Ｓ１２２）。
【００６５】
適合数が適合数しきい値以上でないと判定された場合（Ｓ１２２，Ｎ）、判定部４３はこのフローをＳ１３１へ移行させる。適合数が適合数しきい値以上であると判定された場合（Ｓ１２２，Ｙ）、判定部４３は受信シンボル（第１受信シンボル）が適用参照シンボル（第１参照シンボル）と同一であり、現在の受信シンボルが一次同期を通過したと認識する。そして判定部４３は、一次通過シンボルが適用参照シンボルであることと一次通過しきい値が適合誤差しきい値であることとを示す通過情報を状態格納部３６へ保存する（Ｓ１５１）。次に判定部４３は一次通過フラグをセット（ＯＮに変更）し（Ｓ１５２）、このフローを終了させる。
【００６６】
Ｓ１２２において適合数が適合数しきい値以上でないと判定された場合（Ｓ１２２，Ｎ）、判定部４３は全ての一次同期用の参照シンボルが適用参照シンボルへ割り当てられたか否かを判定する（Ｓ１３１）。
【００６７】
全ての一次同期用の参照シンボルが適用参照シンボルへ割り当てられたと判定された場合（Ｓ１３１，Ｙ）、判定部４３はこのフローをＳ１４１へ移行させる。未だ幾つかの一次同期用の参照シンボルが適用参照シンボルへ割り当てられていないと判定された場合（Ｓ１３１，Ｎ）、判定部４３は次の一次同期用の参照シンボルを選択して読み出し、読み出された参照シンボルを適用参照シンボルへ割り当て（Ｓ１３２）、このフローをＳ１２１へ移行させる。
【００６８】
Ｓ１３１において全ての一次同期用の参照シンボルが適用参照シンボルへ割り当てられたと判定された場合（Ｓ１３１，Ｙ）、判定部４３は全ての一次同期用の誤差しきい値が適用誤差しきい値へ割り当てられたか否かの判定を行う（Ｓ１４１）。
【００６９】
未だ幾つかの一次同期用の誤差しきい値が適用誤差しきい値へ割り当てられていないと判定された場合（Ｓ１４１，Ｎ）、判定部４３は次の一次同期用の誤差しきい値を選択して読み出し、読み出された誤差しきい値を適用誤差しきい値へ割り当て（Ｓ１４２）、このフローをＳ１１４へ移行させる。全て一次同期用の誤差しきい値が適用誤差しきい値へ割り当てられたと判定された場合（Ｓ１４１，Ｙ）、判定部４３は現在の受信シンボルが一次同期を通過しなかったと認識し、一次通過フラグをクリア（ＯＦＦに変更）し（Ｓ１４３）、このフローを終了させる。
【００７０】
以上の一次同期処理によれば同期判定部３５は、複数の一次同期用の誤差しきい値のうち、まず最も低い誤差しきい値（最も厳しい条件）を用いて評価処理を行い、適合数が適合数しきい値以上でない場合、その誤差しきい値より高い誤差しきい値（より緩い条件）を用いて評価処理を行う。これにより、受信シンボルが一次同期を通過する確率を向上させることができ、同期失敗の発生確率を低下させることができる。
【００７１】
次に前述のＳ４２及びＳ５２に示された一次同期確認処理について説明する。
【００７２】
図８は、一次同期確認処理を示すフローチャートである。この図に示されたステップのうち、前述の一次同期処理に含まれたステップに相当するステップは、一次同期処理と同一の符号により示されている。この一次同期確認処理におけるＳ１１２〜Ｓ１３２は、一次同期処理と同様である。
【００７３】
Ｓ１２２において適合数が適合数しきい値以上であると判定された場合（Ｓ１２２，Ｙ）、判定部４３は受信シンボルが適用参照シンボルであり、現在の受信シンボルが一次同期を通過したと認識する。この場合において、適合数は第５適合数に含まれ、受信シンボルは第３受信シンボルに含まれ、適用参照シンボルは第１参照シンボルに含まれる。そして判定部４３は、一次通過シンボルが現在の適用参照シンボルであることと一次通過しきい値が第１誤差しきい値であることとを示す通過情報を状態格納部３６へ保存する（Ｓ１５１ｂ）。次に判定部４３は一次通過フラグをセット（ＯＮに変更）し（Ｓ１５２）、このフローを終了させる。
【００７４】
Ｓ１３１において全ての一次同期用の参照シンボルが適用参照シンボルへ割り当てられたと判定された場合（Ｓ１３１，Ｙ）、判定部４３は現在の受信シンボルが一次同期を通過しなかったと認識し、一次通過フラグをクリア（ＯＦＦに変更）し（Ｓ１４３ｂ）、このフローを終了させる。
【００７５】
以上の一次同期確認処理によれば同期判定部３５は、複数の一次同期用の誤差しきい値のうち、最も低い誤差しきい値（最も厳しい条件）だけを用いて評価処理を行う。従って例えば、一次同期処理で或る受信シンボルが高い誤差しきい値により一次同期を通過し、その後一次同期確認処理で新たな受信シンボルが低い誤差しきい値により一次同期を通過した場合に、より確からしい新たなシンボルを一次同期シンボルと認識することができる。これにより、誤同期の発生確率を低下させることができる。
【００７６】
次に前述のＳ４５に示された二次同期処理について説明する。
【００７７】
図９は、二次同期処理を示すフローチャートである。この図に示されたステップのうち、前述の一次同期処理に含まれたステップに相当するステップは、一次同期処理と同一の符号により示されている。まず判定部４３は、一次同期処理と同様、受信シンボルを受信シンボルバッファ３１から読み出す（Ｓ１１２）。この場合において、受信シンボルは第２受信シンボルに含まれる。
【００７８】
次に誤差算出部４１は、二次同期用の誤差しきい値の一つを選択してしきい値格納部３３から読み出し、読み出された誤差しきい値を適用誤差しきい値へ割り当て（Ｓ１１３ｃ）、二次同期用の参照シンボルの一つを選択して参照シンボル格納部３２から読み出し、読み出された参照シンボルを適用参照シンボルへ割り当てる（Ｓ１１４ｃ）。ここで、最初に割り当てられる適用誤差しきい値は、二次同期用の第３誤差しきい値及び第４誤差しきい値のうち低い方の第３誤差しきい値である。
【００７９】
次に一次同期処理と同様のＳ１２１、Ｓ１２２が実行される。
【００８０】
適合数が適合数しきい値以上であると判定された場合（Ｓ１２２，Ｙ）、判定部４３は受信シンボルが適用参照シンボルと同一であり、現在の受信シンボルが二次同期を通過したと認識する。この場合において、受信シンボルは第２受信シンボルに含まれ、適用参照シンボルは第２参照シンボルに含まれる。そして判定部４３は、二次通過シンボルが現在の適用参照シンボルであることと二次通過しきい値が現在の適合誤差しきい値であることとを示す通過情報を状態格納部３６へ保存する（Ｓ１５１ｃ）。次に判定部４３は二次通過フラグをセット（ＯＮに変更）し（Ｓ１５２ｃ）、このフローを終了させる。
【００８１】
Ｓ１２２において適合数が適合数しきい値以上でないと判定された場合（Ｓ１２２，Ｎ）、判定部４３は全ての二次同期用の参照シンボルが適用参照シンボルへ割り当てられたか否かを判定する（Ｓ１３１ｃ）。
【００８２】
全ての二次同期用の参照シンボルが適用参照シンボルへ割り当てられたと判定された場合（Ｓ１３１ｃ，Ｙ）、判定部４３はこのフローをＳ１４１ｃへ移行させる。未だ幾つかの二次同期用の参照シンボルが適用参照シンボルへ割り当てられていないと判定された場合（Ｓ１３１ｃ，Ｎ）、判定部４３は次の二次同期用の参照シンボルを選択して読み出し、読み出された参照シンボルを適用参照シンボルへ割り当て（Ｓ１３２ｃ）、このフローをＳ１２１へ移行させる。
【００８３】
Ｓ１３１ｃにおいて全ての二次同期用の参照シンボルが適用参照シンボルへ割り当てられたと判定された場合（Ｓ１３１ｃ，Ｙ）、判定部４３は全ての二次同期用の誤差しきい値が適用誤差しきい値へ割り当てられたか否かの判定を行う（Ｓ１４１ｃ）。
【００８４】
未だ幾つかの二次同期用の誤差しきい値が適用誤差しきい値へ割り当てられていないと判定された場合（Ｓ１４１ｃ，Ｎ）、判定部４３は次の二次同期用の誤差しきい値を選択して読み出し、読み出された誤差しきい値を適用誤差しきい値へ割り当て（Ｓ１４２ｃ）、このフローをＳ１１４ｃへ移行させる。全て二次同期用の誤差しきい値が適用誤差しきい値へ割り当てられたと判定された場合（Ｓ１４１ｃ，Ｙ）、判定部４３は現在の受信シンボルが二次同期を通過しなかったと認識し、二次通過フラグをクリア（ＯＦＦに変更）し（Ｓ１４３ｃ）、このフローを終了させる。
【００８５】
以上の二次同期処理によれば同期判定部３５は、複数の二次同期用の誤差しきい値のうち、まず最も低い誤差しきい値（最も厳しい条件）を用いて評価処理を行い、適合数が適合数しきい値以上でない場合、その誤差しきい値より高い誤差しきい値（より緩い条件）を用いて評価処理を行う。これにより、二次同期を通過する確率を向上させることができ、同期失敗の発生確率を低下させることができる。
【００８６】
通信装置１が、受信シンボルと適用参照シンボルとの誤差に対して、複数の誤差しきい値を用いることにより、受信された同期シンボルがフェージングの影響や弱電界域により放棄される確率を低減することができる。これにより、初期同期確立時間を短縮することができる。また、この通信装置１は、或る受信シンボルが緩い条件で一次同期を通過したときの情報を保持しておき、新たな受信シンボルがより厳しい条件で一次同期を通過した場合に新たな受信シンボルを正しい一次同期シンボルと認識する。これにより、誤った一次同期により正しい一次同期シンボルが見逃されて受信処理が進行することを防ぐことができる。このように誤同期による初期同期確立時間の増大を防ぐことにより、回線の品質が悪い状況において初期同期確立時間を短縮することができる。
【００８７】
以下、本実施形態の変形例について説明する。
【００８８】
なお、しきい値格納部３３は、適用誤差しきい値が第１誤差しきい値である場合の適合数しきい値である第１適合数しきい値と、適用誤差しきい値が第２誤差しきい値である場合の適合数しきい値である第２適合数しきい値と、適用誤差しきい値が第３誤差しきい値である場合の適合数しきい値である第３適合数しきい値と、適用誤差しきい値が第４誤差しきい値である場合の適合数しきい値である第４適合数しきい値とを予め格納していても良い。この場合、同期判定部３５は適用誤差しきい値に対応する適合数しきい値をしきい値格納部３３から読み出し、Ｓ１２２を行う。第１適合数しきい値と第２適合数しきい値と第３適合数しきい値と第４適合数しきい値との少なくともいずれかは、他と異なる値であっても良い。
【００８９】
更に、一次同期処理のＳ１４２のように適合数算出処理に用いる条件を厳しい条件から緩い条件へ変更するステップにおいて、適合数しきい値を第１適合数しきい値から第２適合数しきい値へ変更しても良い。この場合、第２適合数しきい値は第１適合数しきい値より小さい。同様に二次同期処理のＳ１４２ｃにおいて、適合数算出処理に用いる適合数しきい値を第３適合数しきい値から第４適合数しきい値へ変更しても良い。この場合、第４適合数しきい値は第３適合数しきい値より小さい。
【００９０】
一次同期用の誤差しきい値は、互いに大きさの異なる３種類以上の値であっても良い。この場合、或る受信シンボルが最も低い誤差しきい値以外を用いて一次同期を通過し、一次通過しきい値が保存された場合、新たな受信シンボルが一次通過しきい値より低い誤差しきい値を用いて一次同期を通過した場合、同期判定部３５はその新たな受信シンボルを一次同期シンボルと認識する。同様に二次同期用の誤差しきい値は、互いに大きさの異なる３種類以上の値であっても良い。
【００９１】
また、同期判定部３５は、複数の評価処理を並列に処理しても良い。この場合、複数の評価処理は、互いに異なる誤差しきい値を用いても良いし、互いに異なる適合数しきい値を用いても良いし、互いに異なる参照シンボルを用いても良い。
【００９２】
また、評価処理において算出される誤差は、受信シンボル内の複素数値から適用参照シンボルの複素数値を引いた差の絶対値の二乗であっても良い。
【００９３】
また、通信装置１は、無線通信の代わりに有線通信を行っても良い。この場合、アンテナ６の代わりに有線伝送路を介して他の通信装置に接続される。
【００９４】
また、受信部１２の各機能は、ハードウェアにより実現されても良いし、ソフトウェアにより実現されても良い。ソフトウェアにより実現される場合、受信部１２は、例えばＣＰＵ（Central Processing Unit）やＤＳＰ（Digital Signal Processor）等のプロセッサと記憶部を有し、プロセッサが記憶部に格納されたプログラムを実行することにより受信部１２の各機能を実現する。
【００９５】
以上の実施形態に関し、更に以下の付記を開示する。
（付記１）
マルチキャリア変調を用いてＮ（Ｎは２以上の整数）個のサブキャリアが変調された信号を、伝搬路を介して受信する通信装置であって、
前記変調された信号内の第１参照シンボルにより示されるＮ個の複素数値であって前記Ｎ個のサブキャリアに夫々対応する、Ｎ個の第１参照複素数値を記憶する記憶部と、
前記受信された信号内の第１受信シンボルにより示されるＮ個の複素数値であって前記Ｎ個のサブキャリアに夫々対応する、Ｎ個の第１受信複素数値を復調する復調部と、
前記Ｎ個の第１参照複素数値に対する前記Ｎ個の第１受信複素数値の誤差であるＮ個の第１誤差を、前記Ｎ個のサブキャリアに夫々対応して算出する誤差算出部と、
第１誤差のしきい値である第１しきい値と前記Ｎ個の第１誤差の夫々とを比較する第１比較を行い、前記第１しきい値より大きい第２しきい値と前記Ｎ個の第１誤差の夫々とを比較する第２比較を行う比較部と、
前記第１比較の結果と前記第２比較の結果とに基づいて、前記第１受信シンボルを前記第１参照シンボルと認識するか否かの判定を行う判定部と
を備える通信装置。
（付記２）
前記記憶部は、前記変調された信号内の第２参照シンボルにより示されるＮ個の複素数値であって前記Ｎ個のサブキャリアに夫々対応する、Ｎ個の第２参照複素数値を記憶し、
前記復調部は、前記受信された信号内の第２受信シンボルにより示されるＮ個の複素数値であって前記Ｎ個のサブキャリアに夫々対応する、Ｎ個の第２受信複素数値を復調し、
前記誤差算出部は、前記Ｎ個の第２参照複素数値に対する前記Ｎ個の第２受信複素数値の誤差であるＮ個の第２誤差を、前記Ｎ個のサブキャリアに夫々対応して算出し、
前記比較部は、第２誤差のしきい値である第３しきい値と前記Ｎ個の第２誤差の夫々とを比較する第３比較を行い、
前記判定部は、前記第３比較の結果に基づき前記第２受信シンボルを前記第２参照シンボルと認識するか否かの判定を行う、
付記１に記載の通信装置。
（付記３）
前記比較部は、前記第１比較に基づき前記Ｎ個の第１誤差の中で前記第１しきい値より小さい第１誤差の数である第１適合数を算出し、前記第２比較に基づき前記Ｎ個の第１誤差の中で前記第２しきい値より小さい第１誤差の数である第２適合数を算出し、前記第３比較に基づき前記Ｎ個の第２誤差の中で前記第３しきい値より小さい第２誤差の数である第３適合数を算出し、
前記判定部は、前記第１適合数と前記第２適合数と前記第３適合数とに基づいて、前記第１受信シンボルを前記第１参照シンボルと認識するか否かの判定と、前記第２受信シンボルを前記第２参照シンボルと認識するか否かの判定とを行う、
付記２に記載の通信装置。
（付記４）
前記判定部は、前記第１適合数のしきい値である第１適合数しきい値と前記第２適合数のしきい値である第２適合数しきい値と前記第３適合数のしきい値である第３適合数しきい値とを用いて、前記第１適合数が前記第１適合数しきい値以上であり且つ前記第３適合数が前記第３適合数しきい値以上である場合と、前記第２適合数が前記第２適合数しきい値以上であり且つ前記第３適合数が前記第３適合数しきい値以上である場合とに、前記第１受信シンボルを前記第１参照シンボルと認識すると共に前記第２受信シンボルを前記第２参照シンボルと認識する、
付記３に記載の通信装置。
（付記５）
前記比較部は、前記第３誤差しきい値より大きい第４誤差しきい値と前記Ｎ個の第２誤差の夫々とを比較する第４比較を行い、前記４比較に基づき前記Ｎ個の第２誤差の中で前記第４しきい値より小さい第２誤差の数である第４適合数を算出し、
前記判定部は、前記第４適合数のしきい値である第４適合数しきい値を用いて、前記第１適合数が前記第１適合数しきい値以上であり且つ前記第４適合数が前記第４適合数しきい値以上である場合と、前記第２適合数が前記第２適合数しきい値以上であり且つ前記第４適合数が前記第４適合数しきい値以上である場合とに、前記第１受信シンボルを前記第１参照シンボルと認識すると共に前記第２受信シンボルを前記第２参照シンボルと認識する、
付記４に記載の通信装置。
（付記６）
前記復調部は、前記受信された信号内の第３受信シンボルにより示されるＮ個の複素数値であって前記Ｎ個のサブキャリアに夫々対応する、Ｎ個の第３受信複素数値を復調し、
前記誤差算出部は、前記Ｎ個の第１参照複素数値に対する前記Ｎ個の第３受信複素数値の誤差であるＮ個の第３誤差を、前記Ｎ個のサブキャリアに夫々対応して算出し、
前記比較部は、前記第１しきい値と前記Ｎ個の第３誤差の夫々とを比較する第５比較を行い、前記第５比較の結果に基づき前記Ｎ個の第３誤差の中で前記第１誤差しきい値より小さい第３誤差の数である第５適合数を算出し、
前記判定部は、前記第２適合数が前記第２適合数しきい値以上であり且つ前記第２適合数が前記第１適合数しきい値以上である場合、前記第３受信シンボルを前記第１参照シンボルと認識する、
付記５に記載の通信装置。
（付記７）
マルチキャリア変調を用いてＮ（Ｎは２以上の整数）個のサブキャリアが変調された信号を、伝搬路を介して通信装置により受信する通信方法であって、
前記変調された信号内の第１参照シンボルにより示されるＮ個の複素数値であって前記Ｎ個のサブキャリアに夫々対応する、Ｎ個の第１参照複素数値を記憶し、
前記受信された信号内の第１受信シンボルにより示されるＮ個の複素数値であって前記Ｎ個のサブキャリアに夫々対応する、Ｎ個の第１受信複素数値を復調し、
前記Ｎ個の第１参照複素数値に対する前記Ｎ個の第１受信複素数値の誤差であるＮ個の第１誤差を、前記Ｎ個のサブキャリアに夫々対応して算出し、
第１誤差のしきい値である第１しきい値と前記Ｎ個の第１誤差の夫々とを比較する第１比較を行い、
前記第１しきい値より大きい第２しきい値と前記Ｎ個の第１誤差の夫々とを比較する第２比較を行い、
前記第１比較の結果と前記第２比較の結果とに基づいて、前記第１受信シンボルを前記第１参照シンボルと認識するか否かの判定を行う
ことを備える通信方法。
【００９６】
記憶部は例えば、参照シンボル格納部３２である。復調部は例えば、ＦＦＴ処理部２５である。
【符号の説明】
【００９７】
１  通信装置
２  アナログ信号処理部
３  ディジタル信号処理部
４  データ入力部
５  データ出力部
６  アンテナ
１１  送信部
１２  受信部
２１  直交検波部
２２  搬送波生成部
２３  ＣＰ検出部
２４  Ｓ／Ｐ変換部
２５  ＦＦＴ処理部
２６  同期処理部
２７  復号部
３１  受信シンボルバッファ
３２  参照シンボル格納部
３３  しきい値格納部
３４  補正処理部
３５  同期判定部
３６  状態格納部
３７  格納部
４１  誤差算出部
４２  比較部
４３  判定部
【図１】
2011239188.tif 000003
【図２】
2011239188.tif 000004
【図３】
2011239188.tif 000005
【図４】
2011239188.tif 000006
【図５】
2011239188.tif 000007
【図６】
2011239188.tif 000008
【図７】
2011239188.tif 000009
【図８】
2011239188.tif 000010
【図９】
2011239188.tif 000011